(57)【要約】【課題】騒音を低減することができるエンジンカバーを提供する。【解決手段】エンジンカバー１２は、車両のエンジン１１の上部の側面を覆う上部側面カバー１５と、エンジン１１の下部の側面を覆う下部側面カバー１６とを備える。上部側面カバー１５と下部側面カバー１６との間Ｓは、車両のサイドメンバー１０と側方向に対向する。【選択図】図１
2020026742.tif 000002
【特許請求の範囲】
【請求項１】
車両のエンジンの上部の側面を覆う上部側面カバーと、
前記エンジンの下部の側面を覆う下部側面カバーと
を備えたエンジンカバーであって、
前記上部側面カバーと前記下部側面カバーとの間は、車両のサイドメンバーと側方向に対向するように設定されたことを特徴とするエンジンカバー。
【発明の詳細な説明】
【技術分野】
【０００１】
本発明は、車両に設けられるエンジンカバーに関する。
【背景技術】
【０００２】
従来、車両のエンジンには、冷却や騒音の低減を目的としてエンジンカバーが設けられることがあり、例えば、上側カバーと下側カバーとを備えたものがある（例えば、特許文献１参照）。この上側カバーは、エンジンの上面を覆う上面カバーと該上面カバーの両側から下方に延びてエンジンの上部の側面を覆う上部側面カバーとを有し、該上部側面カバーの下端が車両のサイドメンバーの上部に接続されている。また、下側カバーは、エンジンの下面を覆う下面カバーと該下面カバーの両側から上方に延びてエンジンの下部の側面を覆う下部側面カバーとを有し、該下部側面カバーの上端が前記サイドメンバーの下部に接続されている。
【先行技術文献】
【特許文献】
【０００３】
【特許文献１】特開２０１３−１１９３８４号公報
【発明の概要】
【発明が解決しようとする課題】
【０００４】
しかしながら、上記のようなエンジンカバーでは、エンジンの駆動時に該エンジンで発生される騒音が直接サイドメンバーに伝わり該サイドメンバーを介して外部に漏れやすいという問題があった。
【０００５】
本発明は、上記課題を解決するためになされたものであって、その目的は、騒音を低減することができるエンジンカバーを提供することにある。
【課題を解決するための手段】
【０００６】
上記課題を解決するエンジンカバーは、車両のエンジンの上部の側面を覆う上部側面カバーと、前記エンジンの下部の側面を覆う下部側面カバーとを備えたエンジンカバーであって、前記上部側面カバーと前記下部側面カバーとの間は、車両のサイドメンバーと側方向に対向するように設定される。
【０００７】
同構成によれば、上部側面カバーと下部側面カバーとの間は、車両のサイドメンバーと側方向に対向するように設定されるため、上部側面カバーと下部側面カバーとの間から漏れ出た音がサイドメンバーに反射されて上部側面カバーや下部側面カバーに向かうことになり、上部側面カバーや下部側面カバーに騒音をより吸収させることができる。よって、騒音を低減することができる。
【図面の簡単な説明】
【０００８】
【図１】一実施形態における車両のエンジン周りの概略構成図。
【発明を実施するための形態】
【０００９】
以下、車両の一実施形態について説明する。
図１に示すように、車両には一対のサイドメンバー（詳しくは、フロントサイドメンバー）１０が設けられ、それらサイドメンバー１０の間にはエンジン１１が配置されている。
【００１０】
また、車両にはエンジン１１を覆うエンジンカバー１２が設けられている。本実施形態のエンジンカバー１２は、エンジン１１の上面を覆う上面カバー１３と、エンジン１１の下面を覆う下面カバー１４と、上面カバー１３の両側から下方に延びてエンジン１１の上部の側面を覆う上部側面カバー１５と、下面カバー１４の両側から上方に延びてエンジン１１の下部の側面を覆う下部側面カバー１６とを備える。
【００１１】
ここで、上部側面カバー１５及び下部側面カバー１６は吸音材としてのウレタンよりなる。そして、上部側面カバー１５と下部側面カバー１６との間Ｓは、サイドメンバー１０と側方向（車両の幅方向）に対向するように設定されている。
【００１２】
詳しくは、上部側面カバー１５の下端と下部側面カバー１６の上端は上下方向に対向するように配置され、それらの間Ｓには若干の隙間が生じることがある。上部側面カバー１５と下部側面カバー１６との間Ｓは、車両の前後方向（図１中、紙面直交方向）に沿って延びている。そして、本実施形態の上部側面カバー１５と下部側面カバー１６との間Ｓは、車両の前後方向の全ての範囲でサイドメンバー１０と側方向（車両の幅方向）に対向するように設定されている。言い換えると、上部側面カバー１５と下部側面カバー１６との間Ｓは、サイドメンバー１０の上下方向範囲Ｈ１内に配置されている。また、サイドメンバー１０と、上部側面カバー１５及び下部側面カバー１６とは車両の幅方向に隙間を有して配置されている。
【００１３】
次に、上記のように構成されたエンジンカバー１２の作用について説明する。
例えば、エンジン１１の駆動時には、エンジン１１にて騒音が発生される。すると、その音はエンジン１１を覆うエンジンカバー１２にて吸収される。また、その音は、上部側面カバー１５と下部側面カバー１６との間Ｓから漏れ出ることがあるが、漏れ出た音は、図１中、矢印Ｚにて模式的に示すように、サイドメンバー１０に反射されて上部側面カバー１５や下部側面カバー１６に向かい、それら上部側面カバー１５や下部側面カバー１６に吸収される。
【００１４】
次に、上記実施形態の効果を以下に記載する。
（１）上部側面カバー１５と下部側面カバー１６との間Ｓは、車両のサイドメンバー１０と側方向に対向するように設定される。よって、上部側面カバー１５と下部側面カバー１６との間から漏れ出た音がサイドメンバー１０に反射されて上部側面カバー１５や下部側面カバー１６に向かうことになり、上部側面カバー１５や下部側面カバー１６に騒音をより吸収させることができる。よって、騒音を低減することができる。
【００１５】
（２）上部側面カバー及び下部側面カバーは吸音材としてのウレタンよりなるため、騒音を好適に吸収させることができる。
本実施形態は、以下のように変更して実施することができる。本実施形態及び以下の変更例は、技術的に矛盾しない範囲で互いに組み合わせて実施することができる。
【００１６】
・上記実施形態では、上部側面カバー１５及び下部側面カバー１６は吸音材としてのウレタンよりなるとしたが、これに限定されず、例えば、他の吸音材よりなるものとしてもよい。
【００１７】
・上記実施形態では、上部側面カバー１５及び下部側面カバー１６の全体が吸音材（ウレタン）よりなるとしたが、これに限定されず、例えば、樹脂材よりなる上部側面カバー及び下部側面カバーの本体の外表面（サイドメンバーと対向する側の面）に吸音材を設けた構成としてもよい。すなわち、少なくとも外表面（サイドメンバーと対向する側の面）に吸音材を有する上部側面カバーや下部側面カバーとしてもよい。
【００１８】
・上記実施形態では、上面カバー１３を備えた構成としたが、これに限定されず、上面カバー１３を備えていない構成としてもよい。また、上記実施形態では、下面カバー１４を備えた構成としたが、これに限定されず、下面カバー１４を備えていない構成としてもよい。
【００１９】
・上記実施形態では、エンジン１１の両側に上部側面カバー１５及び下部側面カバー１６を備えた構成としたが、これに限定されず、両側のいずれか一方側のみに上部側面カバー１５及び下部側面カバー１６を備えた構成としてもよい。
【００２０】
・上記実施形態では、上面カバー１３と上部側面カバー１５とが別体の構成としたが、これに限定されず、上面カバー１３と上部側面カバー１５とが一体物として形成された構成としてもよい。また、上記実施形態では、下面カバー１４と下部側面カバー１６とが別体の構成としたが、これに限定されず、下面カバー１４と下部側面カバー１６とが一体物として形成された構成としてもよい。
【００２１】
・上記実施形態では、上部側面カバー１５と下部側面カバー１６との間Ｓは、車両の前後方向の全ての範囲でサイドメンバー１０と側方向（車両の幅方向）に対向するとしたが、これに限定されず、車両の前後方向の少なくとも一部でサイドメンバー１０と側方向（車両の幅方向）に対向するようにしてもよい。
【符号の説明】
【００２２】
１０…サイドメンバー、１１…エンジン、１２…エンジンカバー、１５…上部側面カバー、１６…下部側面カバー、Ｓ…上部側面カバーと下部側面カバーとの間。
【図１】
2020026742.tif 000003